【手続補正書】
【提出日】平成27年10月7日(2015.10.7)
【手続補正１】
【補正対象書類名】特許請求の範囲
【補正対象項目名】全文
【補正方法】変更
【補正の内容】
【特許請求の範囲】
【請求項１】
体積平均粒径が１〜１０ｎｍの白金、金、又はパラジウムからなる貴金属微粒子とポリアクリル酸又はポリアクリル酸塩からなるコロイド化剤とをもつ貴金属ナノコロイドと、コロイダルシリカとを含む貴金属ナノコロイド含有分散液に、体積平均粒径が１０μｍ以下の無機材料からなる基材を接触させて前記貴金属ナノコロイド含有分散液に対して更に前記基材が分散された付着物分散液を得る付着工程と、
前記付着物分散液を乾燥して付着物を得る乾燥工程と、
酸化雰囲気にて前記付着物を８００℃〜１１００℃で加熱して前記コロイド化剤を酸化除去する酸化除去工程と、
を有し、
前記無機材料はシリカ及び／又はアルミナである、
貴金属担持無機材料の製造方法。
【請求項２】
前記乾燥工程は前記付着物分散液を高温雰囲気中に噴霧する工程である請求項１に記載の貴金属担持無機材料の製造方法。
【請求項３】
請求項１又は２に記載の製造方法にて貴金属担持無機材料を製造する工程と、
前記貴金属担持無機材料と、前記貴金属担持無機材料が練り込まれる樹脂材料とを混合して混合物にする混合工程と、
前記混合物にて内面をコートしてコート材とする工程とを有する水処理装置の製造方法。
【請求項４】
前記水処理装置は炊飯器である請求項３に記載の水処理装置の製造方法。
【請求項５】
前記水処理装置は飲用水、洗濯用水、風呂用水、冷蔵庫の製氷機、加湿器供給用水、食器洗浄機用水、美顔器用水、プールの水、又はボイラーの水処理を行う装置である請求項３に記載の水処理装置の製造方法。
【手続補正２】
【補正対象書類名】明細書
【補正対象項目名】発明の名称
【補正方法】変更
【補正の内容】
【発明の名称】貴金属担持無機材料の製造方法及び水処理装置の製造方法
【手続補正３】
【補正対象書類名】明細書
【補正対象項目名】０００１
【補正方法】変更
【補正の内容】
【０００１】
本発明は、ナノメートルサイズの白金、金、又はパラジウムの微粒子を表面に担持した貴金属担持無機材料の製造方法、更にはその貴金属担持無機材料を内部にコートした水処理装置の製造方法に関する。
【手続補正４】
【補正対象書類名】明細書
【補正対象項目名】００１０
【補正方法】変更
【補正の内容】
【００１０】
本発明は上記実情に鑑み完成されたものであり、白金ナノコロイドなどの貴金属微粒子を何らかの基材上に担持させることにより、触媒としての作用を長時間にわたり発揮させ続けることができる貴金属担持無機材料の製造方法及び水処理装置の製造方法を提供することを解決すべき課題とする。
【手続補正５】
【補正対象書類名】明細書
【補正対象項目名】００１１
【補正方法】変更
【補正の内容】
【００１１】
上記課題を解決する請求項１に係る貴金属担持無機材料の製造方法の特徴は、体積平均粒径が１〜１０ｎｍの白金、金、又はパラジウムからなる貴金属微粒子とポリアクリル酸又はポリアクリル酸塩からなるコロイド化剤とをもつ貴金属ナノコロイドと、コロイダルシリカとを含む貴金属ナノコロイド含有分散液に、体積平均粒径が１０μｍ以下の無機材料からなる基材を接触させて前記貴金属ナノコロイド含有分散液に対して更に前記基材が分散された付着物分散液を得る付着工程と、
前記付着物分散液を乾燥して付着物を得る乾燥工程と、
酸化雰囲気にて前記付着物を８００℃〜１１００℃で加熱して前記コロイド化剤を酸化除去する酸化除去工程と、
を有し、
前記無機材料はシリカ又はアルミナであることにある。
【手続補正６】
【補正対象書類名】明細書
【補正対象項目名】００１２
【補正方法】変更
【補正の内容】
【００１２】
上記課題を解決する請求項２に係る貴金属担持無機材料の製造方法の特徴は、請求項１において、前記乾燥工程は前記付着物分散液を高温雰囲気中に噴霧する工程であることにある。
【手続補正７】
【補正対象書類名】明細書
【補正対象項目名】００１３
【補正方法】変更
【補正の内容】
【００１３】
上記課題を解決する請求項３に係る水処理装置の製造方法の特徴は、請求項１又は２に記載の製造方法にて貴金属担持無機材料を製造する工程と、
前記貴金属担持無機材料と、前記貴金属担持無機材料が練り込まれる前記樹脂材料とを混合して混合物にする混合工程と、
前記混合物にて内面をコートしてコート材とする工程とを有することにある。
【手続補正８】
【補正対象書類名】明細書
【補正対象項目名】００１４
【補正方法】変更
【補正の内容】
【００１４】
上記課題を解決する請求項４に係る水処理装置の製造方法の特徴は、請求項３において、前記水処理装置は炊飯器であることにある。
【手続補正９】
【補正対象書類名】明細書
【補正対象項目名】００１５
【補正方法】変更
【補正の内容】
【００１５】
上記課題を解決する請求項５に係る水処理装置の製造方法の特徴は、請求項３において、前記水処理装置は飲用水、洗濯用水、風呂用水、冷蔵庫の製氷機、加湿器供給用水、食器洗浄機用水、美顔器用水、プールの水、又はボイラーの水処理を行う装置であることにある。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
極めて分散性が高いコロイドとして貴金属微粒子を分散させた状態で基材に担持させることにより、極めて微小な貴金属微粒子を基材の表面に均一に分散させることができる。また、基材の表面に細孔が形成されていたとしてもコロイド化剤の存在により、その細孔内に貴金属微粒子が取り込まれて触媒作用が阻害されるおそれは小さくできる。更に、コロイド化のために用いるコロイド化剤は有機物からなるため酸化除去が可能であり、貴金属微粒子の触媒作用には影響を与えない。
【手続補正１８】
【補正対象書類名】明細書
【補正対象項目名】００２４
【補正方法】変更
【補正の内容】
【００２４】
コロイド化剤として増粘剤、界面活性剤、又は有機酸を採用することにより、極めて高度な分散が実現できる。特にコロイド化剤としてポリアクリル酸（塩を含む）を採用することにより、より高度な貴金属微粒子の分散、並びに、細孔内への取り込み防止効果が実現できる。
【手続補正１９】
【補正対象書類名】明細書
【補正対象項目名】００２５
【補正方法】変更
【補正の内容】
【００２５】
基材を構成する無機材料として、シリカ又はアルミナを採用することにより、貴金属微粒子の触媒作用に影響を与えることなく、安定した基材を提供できる。
【手続補正２０】
【補正対象書類名】明細書
【補正対象項目名】００２６
【補正方法】変更
【補正の内容】
【００２６】
８００℃〜１１００℃にて加熱することにより、コロイド化剤を確実に酸化除去できると共に、コロイダルシリカの少なくとも一部が融解して貴金属微粒子と基材との接着効果を十分に発揮させることができる。
【手続補正２１】
【補正対象書類名】明細書
【補正対象項目名】００２７
【補正方法】変更
【補正の内容】
【００２７】
基材として、上述したような微粒子状のものを採用することにより、微粒子状の基材上に貴金属微粒子が均一に分散した貴金属担持無機材料を得ることができる。貴金属担持無機材料は貴金属微粒子を基材上に担持しているため、担持された貴金属微粒子は凝集などすることがなくなると共に、微粒子状にすることにより、他の材料に混合したり、付着させたりすることが容易になる。
【手続補正２２】
【補正対象書類名】明細書
【補正対象項目名】００２８
【補正方法】変更
【補正の内容】
【００２８】
請求項２に係る発明においては、貴金属ナノコロイド分散液中に更に無機材料微粒子を分散させた分散液を噴霧乾燥することにより、粉末状の形態とすることが可能になり、その後行う酸化除去工程によりコロイド化剤が酸化除去されることで、貴金属担持無機材料の粉末を容易に製造することができる。
【手続補正２３】
【補正対象書類名】明細書
【補正対象項目名】００２９
【補正方法】変更
【補正の内容】
【００２９】
基材の表面に貴金属微粒子を担持させるときに、コロイダルシリカを介して担持させることにより、貴金属微粒子の触媒作用を阻害することなく、確実に基材表面に担持させることができる。
【手続補正２４】
【補正対象書類名】明細書
【補正対象項目名】００３０
【補正方法】変更
【補正の内容】
【００３０】
基材として、上述したような微粒子状のものを採用することにより、微粒子状の基材上に貴金属微粒子が均一に分散した貴金属担持無機材料を得ることができる。貴金属担持無機材料は貴金属微粒子を基材上に担持しているため、担持された貴金属微粒子は凝集などすることがなくなると共に、微粒子状にすることにより、他の材料に混合したり、付着させたりすることが容易になる。
【手続補正２５】
【補正対象書類名】明細書
【補正対象項目名】００３１
【補正方法】変更
【補正の内容】
【００３１】
基材を構成する無機材料として、シリカ又はアルミナを採用することにより、貴金属微粒子の触媒作用に影響を与えることなく、安定した基材を提供できる。
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】